【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
複数の配置されたフィールド装置を有する分散システムを監視する方法であって、各フィールド装置は、トランスデューサと、無線トランシーバとを含み、該方法は、
未調整のデジタルトランスデューサデータを生成するために、該配置されたフィールド装置で情報を感知することと、
該未調整のデジタルトランスデューサデータを各フィールド装置から該基地局へ無線送信することと、
各フィールド装置から該送信された情報の該未調整のデジタルトランスデューサデータを基地局で受信することと、
該受信された情報の該未調整のデジタルトランスデューサデータをコンピュータネットワーク上のデータベースに記憶することと、
該コンピュータネットワークへ接続されるサーバ上で、仮想送信器アプリケーションプログラムを実行することと、
該ネットワーク上の装置による、選択されたフィールド装置からの測定値に対する要求を該サーバにおいて受信することと、
該データベースから、該選択されたフィールド装置によって生成された、記憶された未調整のデジタルトランスデューサデータを検索することと、
該仮想送信器アプリケーションを用いて、該記憶された情報をプログラム的に調整して、該測定値を導き出すことと、
該ネットワークを介して、該測定値を要求した該装置へ、該測定値を送信することと
を含む、方法。
【請求項２】
前記測定値を所定のパラメータ値に対して評価することと、
出力信号を生成することと、
該出力信号を送信することと
をさらに含む、請求項１に記載の方法。
【請求項３】
前記出力信号は表示コードであり、前記出力信号を送信する工程は、
表示コードを選択されたフィールド装置に送信して、フィールド装置のディスプレイに表示させることを含む、請求項２に記載の方法。
【請求項４】
前記出力信号は調節信号であり、前記出力信号を送信する工程は、
該調節信号を選択されたフィールド装置に送信して、該選択されたフィールド装置に関連したパラメータを変更することを含む、請求項２に記載の方法。
【請求項５】
前記出力信号は警報信号である、請求項２に記載の方法。
【請求項６】
分散モニタリングシステムであって、
複数のフィールド装置であって、各フィールド装置は、
感知されたパラメータの物理的測定に基づく未処理のデジタルデータを生成するトランスデューサであって、該未処理のデジタルデータは未調整である、トランスデューサと、
該未処理のデジタルデータを無線送信するための無線トランシーバと
を備える、複数のフィールド装置と、
各フィールド装置から送信された該未処理のデジタルデータを受信するためのベーストランシーバと、
各フィールド装置についての該未処理のデジタルデータを記憶し、かつそのフィールド装置からの該未処理のデジタルデータを調整するために必要とされる２次情報を記憶するためのファイルであって、該ファイルはネットワークを介してアクセス可能である、ファイルと、
該ネットワーク上のサーバであって、該サーバは、別の装置から該ネットワークを介して受信された要求に基づき、該記憶された未処理のデジタルデータおよび該二次情報を検索し、該要求において識別された各フィールド装置について、該感知されたパラメータに対して認識可能な関係にある測定値を生成し、かつ、該測定値を該要求をなした該装置に対して送信するための仮想送信器アプリケーションを有する、サーバと、
を備える、システム。
【請求項７】
前記仮想送信器アプリケーションは、前記未処理のデジタルデータおよび前記２次情報を用いて前記測定値を生成する、請求項６に記載のシステム。
【請求項８】
前記測定値は、前記未処理のデジタルデータおよび前記２次情報を式に挿入することによって計算される、請求項７に記載のシステム。
【請求項９】
前記未処理のデジタルデータは、前記トランスデューサから導き出された未処理のＡ／Ｄカウントである、請求項６に記載のシステム。
【請求項１０】
前記無線トランシーバは、無線通信リンクの制御チャンネル上に前記未処理のデジタルデータを送信する、請求項６に記載のシステム。
【請求項１１】
前記無線通信リンクは、パケット化されたルーティングネットワーク上のリンクである、請求項１０に記載のシステム。
【請求項１２】
前記無線通信リンクは、回路交換ネットワーク上のリンクである、請求項１０に記載のシステム。
【請求項１３】
前記仮想送信器アプリケーションは、前記２次情報に従って前記デジタルデータを調整する、請求項６に記載のシステム。
【請求項１４】
前記無線トランシーバは、セルラー方式の通信回路、デジタル通信回路、赤外線通信回路、およびＩＥＥＥ８０２．１１ｂ対応無線通信回路からなる群から選ばれる、請求項６に記載のシステム。
【請求項１５】
前記仮想送信器アプリケーションは、前記データベースと通信を行う複数のソフトウェアアプリケーションを備える、請求項６に記載のシステム。
【請求項１６】
前記複数のソフトウェアアプリケーションのうちの少なくとも１つは、前記データベースに記憶された前記未処理のデジタルデータに対してパターン認識アルゴリズムを実行する、請求項１５に記載のシステム。
【請求項１７】
前記フィールド装置はバッテリーにより電力供給される、請求項６に記載のシステム。
【請求項１８】
前記仮想送信器アプリケーションは、前記未処理のデジタルデータが所定のパラメータから逸脱している場合に、警報信号を生成するための警報機能をさらに備える、請求項６に記載のシステム。
【請求項１９】
ユーザからの要求に従って、前記ベーストランシーバは、前記フィールド装置のディスプレイ上に表示するために、表示情報を前記無線トランシーバに送信する、請求項６に記載のシステム。
【請求項２０】
前記仮想送信器アプリケーションは、前記２次情報を用いて前記表示情報を計算して、記憶されたデジタルデータを１つ以上の値テーブルに対して評価する、請求項１９に記載のシステム。
【請求項２１】
前記仮想送信器アプリケーションは、デジタルデータをプログラム的に選択および検索し、かつ該デジタルデータを所定の値に対して比較するための診断アプリケーションを備える、請求項６に記載のシステム。
【請求項２２】
複数の配置されたフィールド装置を有する分散システムを監視する方法であって、各フィールド装置は、トランスデューサと、無線トランシーバとを含み、該方法は、
未処理のデジタルデータを生成するために、該配置されたフィールド装置のうちの一つを用いてパラメータを感知することと、
該未処理のデジタルデータを該フィールド装置から基地局に対して無線送信することであって、該未処理のデジタルデータは、該トランスデューサによって行われた該計測の物理的測定によって生成される未処理の数値を表す、ことと、
該フィールド装置からの該測定情報を該基地局で受信することと、
該未処理のデジタルデータをコンピュータネットワーク上のメモリに記憶することと、
該ネットワーク上の装置からの要求に基づき、該記憶された未処理のデジタルデータをプログラム的に調整して、該パラメータを表す測定値を導き出すことであって、該調整することが、該ネットワークのサーバ上において実行する仮想送信器アプリケーションによって実行される、ことと、
該サーバから該要求をなした装置へ、該ネットワークを介して該測定値を送信することと
を含む、方法。
【請求項２３】
前記記憶された測定情報をプログラム的に調整する工程は、
前記記憶された未処理のデジタルデータを前記メモリから検索することと、
調整式に従って、前記測定値を該記憶された未処理のデジタルデータからプログラム的に計算することと
を含む、請求項２２に記載の方法。
【請求項２４】
前記導き出された測定値を所定のパラメータ値に対して評価することと、
出力信号を生成することと、
該出力信号を送信することと
をさらに備える、請求項２２に記載の方法。
【請求項２５】
前記出力信号は表示コードであり、前記出力信号を送信する工程は、
フィールド装置のディスプレイに表示するために、表示コードを該フィールド装置に送信することを含む、請求項２４に記載の方法。
【請求項２６】
前記出力信号は調節信号であり、前記出力信号を送信する工程は、
該調節信号を前記フィールド装置に送信して、該フィールド装置に関連したパラメータを変更することを含む、請求項２４に記載の方法。
【請求項２７】
前記出力信号は警報信号である、請求項２４に記載の方法。
【請求項２８】
分散システムであって、
複数のフィールド装置の分散ネットワークであって、各フィールド装置は、トランスデューサと、該トランスデューサによって行われた物理的な測定によって生成された未調整の数値を表す未処理のデジタルデータを備える無線信号を送信するための関連する第１の無線トランシーバとを有する、分散ネットワークと、
該無線信号を受信するための第２の無線トランシーバと、
該第２の無線トランシーバによって受信された該無線信号に基づいて該未処理のデジタルデータを記憶し、かつ各フィールド装置に関連した２次情報を記憶するためのデータベースと、
該記憶されたデータおよび各フィールド装置に関連した該２次情報を該データベースから検索し、かつ該ネットワークの別の装置からの要求に対して該未処理のデジタルデータおよび２次情報に基づいて測定値を生成し、かつ該要求をする装置にネットワークを介して該測定値を送信するための、ネットワークに接続されるサーバ上において実行する仮想送信器アプリケーションと
を備える、システム。
【請求項２９】
前記未処理のデジタルデータは、前記トランスデューサから導き出された未処理のＡ／Ｄカウントを備える、請求項２８に記載のシステム。
【請求項３０】
前記送信器アプリケーションは、前記２次情報に従って前記未処理のデジタルデータを調整する、請求項２８に記載のシステム。
【請求項３１】
前記第１の無線トランシーバは、セルラー方式の通信回路、デジタル通信回路、超広帯域通信回路、および自由空間光学通信回路からなる群から選ばれる、請求項２８に記載のシステム。
【請求項３２】
前記無線信号は、無線通信リンクの制御チャンネルを用いて送信される、請求項２８に記載のシステム。
【請求項３３】
前記１つ以上のフィールド装置は、エネルギー変換装置を用いて電力供給される、請求項２８に記載のシステム。
【請求項３４】
前記送信器アプリケーションは、前記測定値が所定のパラメータから逸脱している場合に、警報信号を生成するための警報機能をさらに備える、請求項２８に記載のシステム。
【請求項３５】
前記無線信号は、回路交換ネットワークを用いて送信される、請求項２８に記載のシステム。
【請求項３６】
前記無線信号は、パケット化されたルーティングネットワークを用いて送信される、請求項２８に記載のシステム。
【請求項３７】
ユーザからの要求に従って、前記第２の無線トランシーバは、前記フィールド装置のディスプレイに表示するために、表示情報を前記第１の無線トランシーバに送信する、請求項２８に記載のシステム。
【請求項３８】
前記送信器アプリケーションは、前記２次情報を用いて前記表示情報を計算する、請求項３７に記載のシステム。
【請求項３９】
前記送信器アプリケーションは、デジタルデータをプログラム的に選択および検索し、かつ所定の値に対して該データを比較するための診断アプリケーションを備える、請求項２８に記載のシステム。
【請求項４０】
前記送信器アプリケーションは、前記データベースと通信を行う複数のソフトウェアアプリケーションを備える、請求項２８に記載のシステム。
【請求項４１】
前記複数のソフトウェアアプリケーションのうちの少なくとも１つが、パターン認識アルゴリズムを前記データベースに記憶された前記デジタルデータに対して実行する、請求項４０に記載のシステム。